(57)【要約】【課題】複数の無線通信装置でスロットダイバーシチを行う場合に、従来技術の問題を克服し、スロットダイバーシチを行うか否かの判定に、マルチセッションの通信における各セッション情報を用いる技法を提供する。【解決手段】時分割多重方式による無線通信装置(100)は、セッションの開始要求を受け付けるセッション要求受付部(140)と、複数のスロットを使用している既存の少なくとも１つのセッションが確立しているときに、セッション要求受付部(140)により新たなセッションの開始要求を受け付けた場合、既存の少なくとも１つのセッションのセッション情報と、新たなセッションのセッション情報とを比較した結果に応じて、既存の少なくとも１つのセッションが使用している複数のスロットについて当該使用を継続させるようにし、あるいは、複数のスロットのうち少なくとも１以上のスロットを開放し、新たなセッションに割り当てるスロット管理部(150)とを有する。【選択図】図１
2008167043.tif 000002
【特許請求の範囲】
【請求項１】
時分割多重方式による無線通信装置であって、
セッションの開始要求を受け付けるセッション要求受付部と、
複数のスロットを使用している既存の少なくとも１つのセッションが確立しているときに、前記セッション要求受付部により新たなセッションの開始要求を受け付けた場合、前記既存の少なくとも１つのセッションのセッション情報と、前記新たなセッションのセッション情報とを比較した結果に応じて、前記既存の少なくとも１つのセッションが使用している複数のスロットについて当該使用を継続させるようにし、あるいは、前記複数のスロットのうち少なくとも１以上のスロットを開放し、前記新たなセッションに割り当てるスロット管理部と、
を有する無線通信装置。
【請求項２】
請求項１に記載の無線通信装置において、
前記スロット管理部が、
前記既存の少なくとも１つのセッションの優先度と、前記新たなセッションの優先度とを比較して、前記新たなセッションの優先度が前記既存の少なくとも１つのセッションの優先度よりも高い場合、前記既存の少なくとも１つのセッションが使用している複数のスロットのうち少なくとも１以上のスロットを開放し、該開放した少なくとも１以上のスロットを前記新たなセッションに割り当てる、
ことを特徴とする無線通信装置。
【請求項３】
請求項１または２に記載の無線通信装置において、
前記スロット管理部が、
前記既存の少なくとも１つのセッションがダイバーシチ制御により使用している複数のスロットのうち、電波伝搬環境が最も良いスロットを開放し、該開放したスロットを前記新たなセッションに割り当てる、
ことを特徴とする無線通信装置。
【請求項４】
請求項１〜３のいずれか１項に記載の無線通信装置において、
前記スロット管理部が、
前記既存の少なくとも１つのセッションが使用している複数のスロットのうち、１つのスロットに収容されるべきデータ量が最も少ないスロットを開放し、該開放したスロットを前記新たなセッションに割り当てる、
ことを特徴とする無線通信装置。
【請求項５】
時分割多重方式による無線通信方法であって、
セッションの開始要求を受け付けるセッション要求受付ステップと、
複数のスロットを使用している既存の少なくとも１つのセッションが確立しているときに、前記セッション要求受付ステップにより新たなセッションの開始要求を受け付けた場合、前記既存の少なくとも１つのセッションのセッション情報と、前記新たなセッションのセッション情報とを比較するステップと、
比較結果に応じて、前記既存の少なくとも１つのセッションが使用している複数のスロットについて当該使用を継続させるようにし、あるいは、前記複数のスロットのうち少なくとも１以上のスロットを開放し、前記新たなセッションに割り当てるスロット管理ステップと、
を有する無線通信方法。
【発明の詳細な説明】
【技術分野】
【０００１】
本発明は、スロットダイバーシチにより通信品質を向上させた、時分割多元接続方式（ＴＤＭＡ）にて無線通信を行う無線通信装置であって、セッション情報に基づきスロットダイバーシチを行うセッションを決定する、無線通信装置および無線通信方法に関する。
【背景技術】
【０００２】
近年、時分割多元接続方式（ＴＤＭＡ）における無線通信の品質を向上させるために、様々なダイバーシチ技術が提案されており、空間分割多元接続方式（ＳＤＭＡ）がある程度成熟した時期であること等を背景として、スロットダイバーシチ技術が注目されている。スロットダイバーシチ技術は、１つの無線通信装置からの通信チャネルを、各通信フレームにおいて、１つのスロットだけではなく、タイミング及び周波数の異なる複数のスロットに割り当てて同一の内容の情報を送信するものである。
【０００３】
スロットダイバーシチ技術では複数のスロットで同一の情報を送信するため、占有周波数帯域が倍増し、スロットダイバーシチを行わない場合と比較してスロットの利用効率が下がるという欠点がある。しかし、通信エラーへの耐性が向上し、例えばあるスロットで通信エラーが発生した場合でも、他のスロットで送信した同一内容の情報が受信側で正常に受信できる可能性が高くなる。このように、スロットダイバーシチ技術を用いれば、ノイズに強く、遠方の無線通信装置からの弱い電波であっても受信しやすい、すなわち品質のよい通信システムを実現することができる。
【０００４】
しかし、スロットダイバーシチ技術の他の欠点として、スロットダイバーシチを行わない場合と比較して電力消費が大きいことが挙げられる。従って、通信環境が良好な状態でスロットダイバーシチを行うと、電力を無駄に消費することとなる。よって、スロットダイバーシチを実行するか否かを判定する条件を適切に選択することが重要であり、従来技術として、周辺の電波伝搬環境または無線通信装置の電池残量に基づいて、スロットダイバーシチを実行するか否かを決定する技法が提案されている（特許文献１を参照されたい）。
【特許文献１】特開２００５−３３４１７号公報
【発明の開示】
【発明が解決しようとする課題】
【０００５】
しかしながら、例えば、無線通信装置が移動している際に生じる高速フェージングといった、電波伝搬環境が急に変化する条件下では、スロットダイバーシチを実行するか否かの判定を、従来技術のように周辺の電波伝搬環境に基づいて行っても、スロットダイバーシチの利点を十分に生かすことができない。これは、現在の電波伝搬環境が悪いためスロットダイバーシチを行っても、無線通信装置が高速に移動した場所では電波伝搬環境が改善され、不必要なスロットダイバーシチによりチャネルスロット（無線リソース）を浪費する可能性が高まり、また、逆に、電波伝搬環境が良好と判断してスロットダイバーシチを行わなかったために、高速フェージングの結果悪化した電波伝搬環境のもとで、送信データのロスが生じる可能性が高まるためである。
【０００６】
また、無線通信装置間（無線通信端末および基地局間）でセッションを確立して行うやり取りの対象が、音声（ＩＰ電話、ＶｏＩＰ）、音声および映像（テレビ電話）、テキストメッセージ（インスタントメッセンジャー）というように複数にわたるような、マルチセッションの通信を行う場合、各セッションによって通信エラーへの許容度は異なる。例えば、リアルタイム性が求められるＶｏＩＰでは、音声の途切れにつながるため、通信フレームの損失といった通信エラーを低減することが望ましいが、バッファリングや再送制御が可能なテキストメッセージの送受信では、通信エラーの許容度はＶｏＩＰに比べて高いため、スロットダイバーシチを行うことは、無線リソースの浪費につながる。さらに、許容度の高いセッションにもかかわらずスロットダイバーシチを行うと、数に限りのあるスロットが占有され、許容度の低いセッションでスロットダイバーシチを行うために十分な数のスロットが確保できなくなる。従って、各セッションの通信エラーへの許容度を考慮して、スロットダイバーシチを行うか否かを判定する必要がある。
【０００７】
よって、本発明の目的は、複数の無線通信装置でスロットダイバーシチを行う場合に、従来技術の問題を克服し、スロットダイバーシチを行うか否かの判定に、マルチセッションの通信における、各セッション情報（ＶｏＩＰ、データ通信などのセッションの種別、ＱｏＳ情報など）を用いる技法（装置および方法）を提供することである。
【課題を解決するための手段】
【０００８】
上述した諸課題を解決すべく、第１の発明による無線通信装置は、
（スロットダイバーシチ制御を行う）時分割多重方式による無線通信装置であって、
（操作入力部を用いたユーザからの、或いは相手側無線通信装置からの）セッションの開始要求を受け付けるセッション要求受付部と、
（スロットダイバーシチ制御により）複数のスロットを使用している既存の少なくとも１つのセッションが確立しているとき（即ち、ダイバーシチ通信中）に、前記セッション要求受付部により新たなセッションの開始要求を受け付けた場合、前記既存の少なくとも１つのセッションのセッション情報（ＶｏＩＰ、データ通信などのセッションの種別、ＱｏＳ情報など）と、前記新たなセッションのセッション情報とを比較した結果に応じて、前記既存の少なくとも１つのセッションが使用している複数のスロットについて当該使用を継続させるようにし、あるいは、前記複数のスロットのうち少なくとも１以上のスロットを開放し、前記新たなセッションに割り当てるスロット管理部と、
（前記開放し、割り当てたスロットの情報を、関連するセッションの相手側無線通信装置に通知する通知部と、）
を有することを特徴とする。
【０００９】
第２の発明による無線通信装置は、
前記スロット管理部が、
前記既存の少なくとも１つのセッションの優先度（例えばセッション情報に基づき規定される。）と、前記新たなセッションの優先度とを比較して、前記新たなセッションの優先度が前記既存の少なくとも１つのセッションの優先度よりも高い場合、前記既存の少なくとも１つのセッションが使用している複数のスロットのうち少なくとも１以上のスロットを開放し、該開放した少なくとも１以上のスロットを前記新たなセッションに割り当てる、
ことを特徴とする。
【００１０】
第３の発明による無線通信装置は、
前記スロット管理部が、
前記既存の少なくとも１つのセッションが（ダイバーシチ制御により）使用している複数のスロットのうち、（ＲＳＳＩなどに基づき判定した）電波伝搬環境が最も良いスロットを開放し、該開放したスロットを前記新たなセッションに割り当てる、
ことを特徴とする。
【００１１】
第４の発明による無線通信装置は、
前記スロット管理部が、
前記既存の少なくとも１つのセッションが（ダイバーシチ制御により）使用している複数のスロットのうち、１つのスロットに収容されるべきデータ量が最も少ないスロットを開放し、該開放したスロットを前記新たなセッションに割り当てる、
ことを特徴とする。
【００１２】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
例えば、本発明を方法として実現させた第５の発明による無線通信方法は、
（スロットダイバーシチ制御を行う）時分割多重方式による無線通信方法であって、
（操作入力部を用いたユーザからの、或いは相手側無線通信装置からの）セッションの開始要求を受け付けるセッション要求受付ステップと、
演算手段（ＣＰＵなどのプロセッサ）を用いて、（スロットダイバーシチ制御により）複数のスロットを使用している既存の少なくとも１つのセッションが確立しているとき（即ち、ダイバーシチ通信中）に、前記セッション要求受付ステップにより新たなセッションの開始要求を受け付けた場合、前記既存の少なくとも１つのセッションのセッション情報（ＶｏＩＰ、データ通信などのセッションの種別、ＱｏＳ情報など）と、前記新たなセッションのセッション情報とを比較するステップと、比較結果に応じて、前記既存の少なくとも１つのセッションが使用している複数のスロットについて当該使用を継続させるようにし、あるいは、前記複数のスロットのうち少なくとも１以上のスロットを開放し、前記新たなセッションに割り当てるスロット管理ステップと、
（前記開放し、割り当てたスロットの情報を、関連するセッションの相手側無線通信装置に通知する通知ステップと、）
を有することを特徴とする。
【発明の効果】
【００１３】
上述のように、セッション毎にスロットダイバーシチを行うかどうかを決定することで、通信エラーの許容度に応じたセッション毎の優先制御を行うことができる。
【００１４】
また、セッション毎に管理できる項目が増えるため、ユーザに対してより多様なサービスを行うことができる。例えば、メールの送受信やインターネットからのダウンロードといったｄａｔａセッションよりも、リアルタイム性を要し、伝送損失が音声品質の低下に直結するＶｏＩＰセッションのスロットダイバーシチの優先度を高くし、優先してＶｏＩＰセッションでスロットダイバーシチを行うことで、スロットダイバーシチを行わない場合よりも良質な音声通話サービスを提供できる。
【００１５】
また、すべてのセッションでスロットダイバーシチを行う場合に対して、優先度の高い特定のセッションに対してのみスロットダイバーシチを行うことで、消費電力の節約およびスロット利用効率の改善につながる。
【発明を実施するための最良の形態】
【００１６】
以降、諸図面を参照しながら、本発明による無線通信装置の実施態様を詳細に説明する。典型例として基地局と移動端末との通信を想定し、無線通信装置としては移動端末を例に説明する。
【００１７】
図１は、本発明による無線通信装置の一実施例の構成を示す機能ブロック図である。図に示した無線通信装置１００は、受信部１１０、送信部１２０、操作入力部１３０、セッション要求受付部１４０、スロット管理部１５０、及びアンテナＡＮＴを備える。受信部１１０及び送信部１２０は、アンテナＡＮＴを介して、基地局および他の無線通信装置とデータの送受信を行う。操作入力部１３０は、例えばボタンやタッチパネル等で構成され、ユーザは、操作入力部１３０を用いて、新たなセッションの開始を基地局へ要求するための入力操作を行う。セッション要求受付部１４０は、操作入力部１３０に入力されたユーザからの、または、受信部１１０で受信した相手側無線通信装置からのセッション開始要求を受け付け、スロット管理部１５０へ伝達する。
【００１８】
スロット管理部１５０は、既存のセッションと、セッション要求受付部１４０にて新たに開始要求を受け付けたセッションとの、セッション情報（ＶｏＩＰ、データ通信などのセッションの種別、ＱｏＳ情報、優先度など）を比較した結果に応じて、既存のセッションのうち少なくとも１つのセッションが使用している複数のスロットについて当該使用を継続させるようにし、あるいは、前記複数のスロットのうち、少なくとも１以上のスロットを開放し、前記新たなセッションに割り当てる。なお、前記複数のスロットの使用を継続させる場合には、空きスロットがあれば、当該空きスロットを割り当てるようにする。セッション要求受付部１４０にて受け付けるセッション情報は、相手側無線通信装置からの開始要求とともに、何らかの識別情報として送信される。ここで、スロット管理部１５０によるスロットの開放および新たなセッションへの割り当ては、セッション管理部（図示せず）をさらに設け、該セッション管理部によって行ってもよい。また、無線通信装置１００は、図示しない演算部（ＣＰＵ）および格納部（メモリ）をさらに備える。格納部には、各ユーザやセッションなどへのスロット割当情報テーブルやセッション情報などが格納されている。
【００１９】
図２に、時分割多元接続方式で無線通信を行う場合の、チャネル構成の例を示す。周波数がｆ０〜ｆ７と異なる各フレームが、スロット０〜スロット２の３つのチャネルスロットから構成されている。各チャネルには、Ｃ０〜Ｃ２３の番号を付す。ここで、無線通信装置１００は、図２における例えばＣ３、Ｃ１１およびＣ１６のチャネルを用いて、図３のようなフレームを構成し、基地局および相手側無線通信装置と無線通信を行っているとする。
【００２０】
第１の実施例
本発明の無線通信装置による第１の実施例では、スロットダイバーシチを実行するか否かを、セッションの優先度に基づいて判断する。以下、フローチャートおよびスロットの割当ての具体例を用い、第１の実施例を説明する。まず、第１の実施例を説明するにあたり、その前提として、空きスロットを用いてスロットダイバーシチを実行する場合の各スロットへのセッションの割当てについて説明する。図４は、スロットダイバーシチ制御の処理を説明するフローチャート、図７は、本願発明者が考えた、空きスロットを用いてスロットダイバーシチを実行する場合の、各スロットへのセッションの割当ての様子を示す。まず、初期状態として、図７（ａ）のように、ｄａｔａセッションであるセッションＡが、スロット０を用いてデータの送信を行っているとする。まず、セッション要求受付部１４０は、操作入力部１３０または受信部１１０からの新たなセッションＢの開始要求を受け付ける（ステップＳ１１）。次に、スロット管理部１５０は、新たなセッションＢのセッションの種別やＱｏＳ情報といったセッション情報に基づき、新たなセッションＢが、スロットダイバーシチを必要とするか否かを判定する（ステップＳ１２）。判定は、エラー許容値等に基づいた優先度に基づき、表１のテーブルを用いて行われる。
【００２１】
【表１】
2008167043.tif 000003
【００２２】
ここで、セッションＢがＶｏＩＰセッションの場合、セッションＢの優先度は高いため、ステップＳ１３へ進み、スロット管理部１５０は、使用するＮ個（Ｎは２以上の整数）のスロットを決定する。その後、ステップＳ１５に進み、スロット管理部１５０は、ステップＳ１３で決定したスロットを用いた、新たなセッションＢの確立処理を行う。図７の例では、同図（ｂ）に示すように、スロット１およびスロット２を使用して、ＶｏＩＰセッションＢの同一データＢ１およびＢ２を送信する、スロットダイバーシチ制御によるセッションを確立する。
【００２３】
セッションＢがｄａｔａセッションの場合は、ステップＳ１２で、新たなセッションＢはスロットダイバーシチの必要がないと判定され、ステップＳ１４へ進み、スロット管理部１５０は、使用するＮ個（Ｎは１以上の整数）を決定する。その後、ステップＳ１５に進み、スロット管理部１５０は、ステップＳ１４で決定したスロットを用いた、新たなセッションＢの確立処理を行う。セッションＢには、図７におけるスロット１またはスロット２を用いることができるが、さらに、セッションＡで用いていたスロット０を開放し、セッションＡにはスロット１またはスロット２を割当て、セッションＢにスロット０を用いることもできる。
【００２４】
次に、図８および図４に基づいて、本発明の無線通信装置による第1の実施例について説明する。図８は、新たなセッションのスロットダイバーシチを行うのに、十分な空きスロットがない場合の、本実施例によるスロットの割り当ての様子を示す。初期状態として、図８（ａ）のように、ｄａｔａセッションＡが、スロット０およびスロット１にてスロットダイバーシチを行い、それぞれ同一のデータＡ１およびＡ２の送信を行っているとする。この状態でＶｏＩＰセッションＢの開始が要求されると、ＶｏＩＰ通信は優先度が高いためスロットダイバーシチの必要があると判定され（ステップＳ１２）、新たなセッションＢには、図８（ｂ）のようにスロット１およびスロット２が割り当てられる（ステップＳ１３）。
【００２５】
第２の実施例
本発明の無線通信装置による第２の実施例では、既存のセッションが確立しているためにスロットダイバーシチをする十分な空きスロットがない場合に、開始要求のあった新たなセッションに対しスロットダイバーシチを実行するか否か、すなわち、既存のセッションで用いているスロットを開放して、新たなセッションに割り当てるか否かを、各セッションの優先度、電波伝搬環境、および通信データ量に基づいて判定する。以下、フローチャートを用いて、第２の実施例を説明する。図５、図６は、第２の実施例によるスロットダイバーシチ制御の処理を説明するフローチャートである。まず、セッション要求受付部１４０は、操作入力部１３０または受信部１１０からの新たなセッションＢの開始要求を受け付ける（ステップＳ２１）。次に、スロット管理部１５０は、新たなセッションＢのセッションの種別やＱｏＳ情報といったセッション情報に基づき、新たなセッションＢが、スロットダイバーシチを必要とするか否かを判定する（ステップＳ２２）。判定は、エラー許容値等に基づいた優先度に基づき、表１のテーブルを用いて行われる。セッションＢがＶｏＩＰセッションの場合、セッションＢの優先度は高いため、ステップＳ２３へ進み、スロット制御処理（図６）を行う。図６に、スロット制御処理のフローチャートを示す。ステップＳ３０〜ステップＳ３７の処理は、フレーム中の各スロットに対して行われるため、スロットの数だけ繰り返される。すなわち、開始要求のあった新たなセッションは、スロットを用いている既存のセッション全てと、優先度、電波伝搬環境、および通信データ量に基づいて比較される。
【００２６】
以下、「対象スロット」とは、新たなセッションの比較対象となるスロット、すなわち、フレーム中の各スロットを指すものとする。まず、ステップＳ３１にて、スロット管理部１５０は、対象スロットが通信中か否か（対象スロットを用いたセッションが確立しているか否か）を判定する。対象スロットが通信中でない場合、空きスロットとみなされ、新たなセッションに使用可能なスロットとして（ステップＳ３６）処理を終了し、次のスロットの比較へと移る（ステップＳ３７からＳ３０へ）。対象スロットが通信中である場合、ステップＳ３２へ進み、スロット管理部１５０は、対象スロットがスロットダイバーシチの実行中か否かを判定する。スロットダイバーシチを実行していない場合は、対象スロットのみを用いて通信を行っているセッションのスロットを開放することはできないため、処理を終え、対象スロットを用いたセッションを継続させる。対象スロットがスロットダイバーシチを実行中である場合は、対象スロットを用いているセッションが、対象スロット以外にもスロットを用いていることになるため、ステップＳ３３へ進み、対象スロットを新たなセッションのために開放できるか否かの判定を継続する。
【００２７】
ステップＳ３３にて、スロット管理部１５０は、新たなセッションと、対象スロットを用いているセッションとの、セッションの種別や、ＱｏＳ情報といった、セッション情報の比較に基づき、新たなセッションの優先度が対象スロットを用いたセッションよりも高いか否かを判定する。優先度の判定は、表１のテーブルを用いて行われる。新たなセッションの優先度が低い場合は、対象スロットを開放することはできないため、処理を終える。優先度が高い場合は、ステップＳ３４へ進み、対象スロットを新たなセッションのために開放できるか否かの判定を継続する。
【００２８】
ステップＳ３４にて、スロット管理部１５０は、対象スロットを用いたセッションの電波伝搬環境が、新たなセッションに使用可能と判定されているスロットの電波伝搬環境よりも、良いか否かを判定する。対象スロットを用いたセッションの電波伝搬環境が悪い場合は、対象スロットを開放すると、新たなセッションに対して、電波伝搬環境の悪いスロットのみで通信を行わなければならなくなるため、処理を終え、対象スロットを用いた既存セッションを継続させる。対象スロットを用いたセッションの電波伝搬環境が良い場合は、ステップＳ３５へ進み、対象スロットを新たなセッションのために開放できるか否かの判定を継続する。
【００２９】
ステップＳ３５にて、スロット管理部１５０は、対象スロットを用いたセッションの送信バッファに含まれるデータ量が、新たなセッションに使用可能と判定されているスロットを用いたセッションの送信バッファに含まれるデータ量よりも、少ないか否かを判定する。対象スロットの送信バッファに含まれるデータ量が多い場合は、対象スロットを開放すると、対象スロットを用いているセッションの多くのデータが破棄されることになるため、処理を終え、対象スロットを用いたセッションを継続させる。逆に対象スロットを用いたセッションの送信バッファに含まれるデータ量が少ない場合は、対象スロットを開放しても、破棄されるデータ量の影響が少ないため、新たなセッションに使用可能として（ステップＳ３６）、対象スロットに対する処理を終える。
【００３０】
上述したスロット制御処理が各スロットに対して行われ、新たなセッションに使用可能なスロットが決定されると、図５のステップＳ２４へ進み、スロット管理部１５０は、新たなセッションに使用するＮ個（Ｎは２以上の整数）を決定し、ステップＳ２６にて、セッション確立処理を行う。
【００３１】
ここで、第２の実施例による、既存のセッションで用いているスロットを開放して、新たなセッションに割り当てる場合の具体例を、図９〜図１１を用いて説明する。図９〜図１１は、３個のスロットを有するフレームを用いて通信する場合の、各スロットへのセッションの割当ての様子を示す図である。まず、初期状態として、図９（ａ）のように、ｄａｔａセッションＡが、スロット０およびスロット１にてスロットダイバーシチを行い、それぞれ同一のデータＡ１およびＡ２の送信を行っているとする。この状態でＶｏＩＰセッションＢの開始が要求されると、ＶｏＩＰ通信は優先度が高いためスロットダイバーシチの必要があると判定され（ステップＳ２２）、ｄａｔａセッションＡと比較して優先度が高いと判定される（ステップＳ３３）。いま、電波伝搬環境はスロット１が最良であり、データＡ１およびＡ２それぞれの送信バッファに含まれているデータ量が、Ａ１＞Ａ２であったとすると、ステップＳ３４、Ｓ３５を経て、スロット１が開放され、新たなセッションＢには、図９（ｂ）のようにスロット１およびスロット２が割り当てられる（ステップＳ２６）。
【００３２】
また、図１０に、初期状態およびセッションＡ、Ｂの優先度ならびにデータ量は図９と同様で、電波伝搬環境がスロット０、またはスロット１が最良であった場合の、各スロットへのセッションの割当ての様子を示す。優先度が高いＶｏＩＰセッションＢにスロット０およびスロット１が開放され、ｄａｔａセッションＡはスロット２を用いてセッションを継続することができる。
【００３３】
さらに、スロットダイバーシチ制御を、上述のように１つのフレーム内だけではなく、異なるフレームを用いて行うことも可能である。図１１に、新たなセッションに対して異なるフレームを用いてスロットダイバーシチ制御を行う場合の、スロットのセッションの割当ての様子を示す。同図（ａ）のように、セッションＡがスロット０およびスロット１を用いて、同一データＡ１およびＡ２をスロットダイバーシチにより送信していたとする。ここで、新たなセッションＢの開始が要求されると、新たなセッションＢに対して図６のフローチャート処理が行われ、スロット管理部は、ステップＳ２４の使用するＮ個のスロットを決定する場合に、異なるフレームからスロットを選択することもできる。同図（ｂ）はその一例であり、セッションＢが、異なるフレームから選択したスロット１を用いて、同一データＢ１、Ｂ２を送信する場合の、スロットの割当てを示す図である。
【００３４】
なお、上述した実施例において、既存のセッションで使用しているスロットを開放し、新たなセッションに割り当てる場合は、開放および割り当てる旨が無線通信装置１００から予め基地局に通知されてから、即ち、ネゴシエーションが行われてから処理が開始される。
【００３５】
上述したように、本発明によれば、新たに開始を要求されたセッションが、既存のセッションがあるためスロットダイバーシチを行うのに十分な空きスロットがない場合でも、基地局はセッションの優先度に即した無線通信を行わせることができる。また、スロットの割り当ての権限のない携帯端末側でも、基地局から割り当てられ、携帯端末で確保しているスロットのみを有効に用いて、セッション情報（優先度やデータ量など）に即した無線通信を行うことができる。
【００３６】
上述の説明では、既存のセッションが１つの場合について説明しているが、本発明はこれに限られるものではなく、既存のセッションが２つ以上ある場合でも用いることが可能であり、また、１つのユーザがスロットダイバーシチを行う場合について説明したが、本発明はこれに限られるものではなく、２つ以上のユーザでスロットダイバーシチを行うことも可能であることに留意されたい。
【００３７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップなどに含まれる機能などは論理的に矛盾しないように再配置可能であり、複数の手段やステップなどを１つに組み合わせたり、あるいは分割したりすることが可能である。
【図面の簡単な説明】
【００３８】
【図１】本発明による無線通信装置のブロック図である。
【図２】本発明による時分割多元接続方式で通信を行う場合のチャネル構成の例を示す図である。
【図３】送受信に使用するフレーム構成を示す概略図である。
【図４】第１の実施例によるスロットダイバーシチ制御の処理を説明するフローチャートである。
【図５】第２の実施例によるスロットダイバーシチ制御の処理を説明するフローチャートである。
【図６】第２の実施例によるスロット制御処理を説明するフローチャートである。
【図７】スロットへのセッションの割当てを示す図である。
【図８】第１の実施例によるスロットへのセッションの割当てを示す図である。
【図９】第２の実施例によるスロットへのセッションの割当てを示す図である。
【図１０】第２の実施例によるスロットへのセッションの割当てを示す図である。
【図１１】第２の実施例によるスロットへのセッションの割当てを示す図である。
【符号の説明】
【００３９】
１００  無線通信装置
１１０  受信部
１２０  送信部
１３０  操作入力部
１４０  セッション要求受付部
１５０  スロット管理部
ＡＮＴ  アンテナ
Ｃ０〜Ｃ２３  チャネル番号
【図１】
2008167043.tif 000004
【図２】
2008167043.tif 000005
【図３】
2008167043.tif 000006
【図４】
2008167043.tif 000007
【図５】
2008167043.tif 000008
【図６】
2008167043.tif 000009
【図７】
2008167043.tif 000010
【図８】
2008167043.tif 000011
【図９】
2008167043.tif 000012
【図１０】
2008167043.tif 000013
【図１１】
2008167043.tif 000014